(57)【要約】【課題】室外機と複数の室内機との間に配線された制御線の誤配線を素早く確実に検知することができるマルチ型空気調和機を提供する。【解決手段】室外機制御装置５０は、制御線６１Ａ、６１Ｂ、６１Ｃの誤配線の有無を検知する際、電子膨張弁５Ａ，５Ｂ，５Ｃを室内機Ａ、Ｂ、Ｃ毎に設定された異なる開度で開状態にし、圧縮機１を駆動して冷媒を冷媒配管２１、２０内に流してそれぞれ室内機Ａ、Ｂ、Ｃを介して循環させ、室内機Ａ、Ｂ、Ｃ毎に温度センサー３４Ａ、３４Ｂ、３４Ｃの検出温度を読み込んで、室内機Ａ、Ｂ、Ｃ毎に設定された基準温度と比較し、検出温度と基準温度との不一致から制御線６１Ａ、６１Ｂ、６１Ｃの誤配線を検知する。【選択図】図１
2014173816.tif 000002
【特許請求の範囲】
【請求項１】
圧縮機を有する室外機と、
複数の室内機と、
前記室外機と前記室内機との間で冷媒を循環させる冷媒配管と、
前記室外機と前記室内機との間で制御用の信号を伝送する複数の制御線と、
前記室内機にそれぞれ接続された冷媒配管に設けられた複数の膨張弁と、
前記室内機にそれぞれ接続された冷媒配管の特定位置に設置され、当該各冷媒配管に流れる冷媒の温度を検出する複数の温度センサーとを備え、
前記膨張弁を前記室内機毎に設定された異なる開度で開状態にし、前記圧縮機を駆動して冷媒を前記冷媒配管内に流してそれぞれ前記室内機を介して循環させ、前記室内機毎に前記温度センサーの検出温度を読み込んで、前記室内機毎に設定された基準温度と比較し、前記検出温度と前記基準温度との不一致から前記制御線の誤配線を検知する誤配線検知手段を備えていることを特徴とするマルチ型空気調和機。
【請求項２】
前記誤配線検知手段は、前記制御線の誤配線の有無を検知する際に冷房運転を行い、前記室内機毎に前記温度センサーにより検出された低温・低圧のガス冷媒の温度を読み込んで、前記室内機毎に設定された基準温度と比較し、前記検出温度と前記基準温度との不一致から前記制御線の誤配線を検知することを特徴とする請求項１記載のマルチ型空気調和機。
【請求項３】
前記誤配線検知手段は、前記制御線の誤配線を検知した後、前記室内機を予め定めた順番に従って運転を停止させ、前記室内機が停止する順番から前記制御線の誤配線を再び検知することを特徴とする請求項１又は２記載のマルチ型空気調和機。
【発明の詳細な説明】
【技術分野】
【０００１】
本発明は、１台の室外機に複数の室内機が冷媒配管を介して接続されたマルチ型空気調和機に係わり、更に詳しくは、室外機と複数の室内機とを接続する制御線の誤配線を検知するマルチ型空気調和機に関するものである。
【背景技術】
【０００２】
マルチ型空気調和機は、１台の室外機に複数の室内機を接続して構成される。このようなマルチ型空気調和機では、室外機と複数の室内機との間で冷媒を循環させる複数の冷媒配管が接続され、室外機と複数の室内機との間で制御用の信号を伝える複数の制御線が配線されている。各冷媒配管は、液配管とガス配管との対からなっている。冷房運転時には、四方弁を切り換えてファンを回転させる。そして、圧縮機からの吐出冷媒を、凝縮器となる室外熱交換器、電子膨張弁、蒸発器となる各室内熱交換器、アキュームレータへと回流させることによって行う。このとき、室外機側では、室外機内の液配管に設けられた温度センサの検出温度に基づいて電子膨張弁でサブクール制御を行う。なお、冷房を停止している室内機に対応する電子膨張弁は全閉にする（例えば、特許文献１参照）。
【先行技術文献】
【特許文献】
【０００３】
【特許文献１】特開平７−３０５８７９号公報（図５）
【発明の概要】
【発明が解決しようとする課題】
【０００４】
従来のマルチ型空気調和機では、１台の室外機に３台以上の室内機が接続されている場合、室内機を冷房運転モードに設定して動作させ、何れの室内機に対応するガス配管の温度が低下するかどうかを検出して、室内機に接続すべき制御線が正しく室内機に接続されているかどうかの判定を行う。このようにして、順次、各室内機を冷房運転モードに設定し、その室内機に接続すべき制御線が実際にどの室内機に接続されているかを判定していくことによって、誤配線の有無を検出することができる。
しかしながら、複数台の室内機のなかから一台ずつ運転を実施するため、誤配線の検知までに時間がかかるという課題があった。
【０００５】
本発明は、前記のような課題を解決するためになされたもので、室外機と複数の室内機との間に配線された制御線の誤配線を素早く確実に検知することができるマルチ型空気調和機を得ることを目的とする。
【課題を解決するための手段】
【０００６】
本発明に係るマルチ型空気調和機は、圧縮機を有する室外機と、複数の室内機と、室外機と複数の室内機との間で冷媒を循環させる冷媒配管と、室外機と複数の室内機との間で制御用の信号を伝送する複数の制御線と、複数の室内機にそれぞれ接続された冷媒配管に設けられた複数の膨張弁と、複数の室内機にそれぞれ接続された冷媒配管の特定位置に設置され、当該各冷媒配管に流れる冷媒の温度を検出する複数の温度センサーとを備え、複数の膨張弁を室内機毎に設定された異なる開度で開状態にし、圧縮機を駆動して冷媒を冷媒配管内に流してそれぞれ複数の室内機を介して循環させ、室内機毎に温度センサーの検出温度を読み込んで、室内機毎に設定された基準温度と比較し、検出温度と基準温度との不一致から複数の制御線の誤配線を検知する誤配線検知手段を備えている。
【発明の効果】
【０００７】
本発明によれば、複数の膨張弁を室内機毎に設定された異なる開度で開状態にし、圧縮機を駆動して冷媒を冷媒配管内に流して複数の室内機を介して循環させ、室内機毎に温度センサーの検出温度を読み込んで、室内機毎に設定された基準温度と比較し、検出温度と基準温度との不一致の組み合わせから制御線の誤配線を検知する。このように、複数の室内機を略同時に運転させるようにしているので、素早く制御線の誤配線の検知に入ることができ、しかも、室内機毎の検出温度と基準温度との不一致から制御線の誤配線を検知するようにしているので、確実に誤配線の検知を行うことができる。
【図面の簡単な説明】
【０００８】
【図１】本発明の実施の形態に係るマルチ型空気調和機の概略構成を示す冷媒回路図。
【図２】図１のマルチ型空気調和機において誤配線の有無検知における室内機毎の電子膨張弁の開度と基準温度との相関を示す図。
【図３】図１のマルチ型空気調和機における誤配線の有無検知後の室内機の停止順序を示すタイムチャート。
【図４】図１のマルチ型空気調和機における誤配線の有無の検知動作を示すフローチャート。
【発明を実施するための形態】
【０００９】
図１は本発明の実施の形態に係るマルチ型空気調和機の概略構成を示す冷媒回路図である。図２は図１のマルチ型空気調和機において誤配線の有無検知における室内機毎の電子膨張弁の開度と基準温度との相関を示す図、図３は図１のマルチ型空気調和機における誤配線の有無検知後の室内機の停止順序を示すタイムチャートである。
【００１０】
本実施の形態のマルチ型空気調和機は、例えば図１に示すように、１台の室外機Ｘと、３台の室内機Ａ、Ｂ、Ｃと、室外機Ｘと室内機Ａ、Ｂ、Ｃとの間で冷媒を循環させる液配管２０及びガス配管２１とを備えている。なお、図１では室内機Ａ、Ｂ、Ｃを３台としているが、これに限定されるものではない。
【００１１】
室外機Ｘは、圧縮機１と、圧縮機１の吐出側と吸入側との間に直列に接続された四方弁２及びアキュムレータ８と、一方がガス配管２１を介して四方弁２に接続され、他方が液配管２０と接続された室外熱交換器４と、室外熱交換器４に冷却風を送風する室外送風機３と、室外熱交換器４の中間部の冷媒流路上に設置された温度センサー３１と、液配管２０上に設置された温度センサー３２と、室外機制御装置５０とを備えている。
【００１２】
室内機Ａは、室内熱交換器６Ａと、室内熱交換器６Ａに冷却風を送風する室内送風機７Ａと、液配管２０に挿入された電子膨張弁５Ａと、室内熱交換器６Ａの中間部の冷媒流路上に設置された温度センサー３３Ａと、ガス配管２１上に設置された温度センサー３４Ａと、室外機制御装置５０に制御線６１Ａを介して接続された室内機制御装置６０Ａとを備えている。
【００１３】
室内機Ｂは、室内機Ａと同様に、室内熱交換器６Ｂと、室内熱交換器６Ｂに冷却風を送風する室内送風機７Ｂと、液配管２０に挿入された電子膨張弁５Ｂと、室内熱交換器６Ｂの中間部の冷媒流路上に設置された温度センサー３３Ｂと、ガス配管２１上に設置された温度センサー３４Ｂと、室外機制御装置５０に制御線６１Ｂを介して接続された室内機制御装置６０Ｂとを備えている。
【００１４】
室内機Ｃは、室内機Ａ、Ｂと同様に、室内熱交換器６Ｃと、室内熱交換器６Ｃに冷却風を送風する室内送風機７Ｃと、液配管２０に挿入された電子膨張弁５Ｃと、室内熱交換器６Ｃの中間部の冷媒流路上に設置された温度センサー３３Ｃと、ガス配管２１上に設置された温度センサー３４Ｃと、室外機制御装置５０に制御線６１Ｃを介して接続された室内機制御装置６０Ｃとを備えている。
【００１５】
室外機制御装置５０は、運転情報（暖房／冷房）、温度センサー３１、３２の検出温度に基づいて、四方弁２の流路切換、圧縮機１の運転、室外送風機３の風量などを制御する。四方弁２は、冷房運転のときには、圧縮機１と室外熱交換器４とが、アキュムレータ８と室内熱交換器６Ａ、６Ｂ、６Ｃとが、それぞれ接続されるように流路を切り換える。また、四方弁２は、暖房運転のときには、圧縮機１と室内熱交換器６Ａ、６Ｂ、６Ｃとが、アキュムレータ８と室外熱交換器４とが、それぞれ接続されるように流路を切り換える。
【００１６】
室内機制御装置６０Ａ、６０Ｂ、６０Ｃは、リモコン（図示せず）からの運転情報を受けたときに、室内送風機７Ａ、７Ｂ、７Ｃの運転を開始すると共に、その運転情報を制御線６１Ａ、６１Ｂ、６１Ｃを介して室外機制御装置５０に出力する。そして、室内機制御装置６０Ａにおいては、温度センサー３３Ａ、３４Ａの検出温度、室内設定温度、室内温度などの温度情報に基づいて電子膨張弁５Ａの開度を制御すると共に、室内送風機７Ａの風量を制御し、前述の温度情報を制御線６１Ａを介して室外機制御装置５０に出力する。
【００１７】
また、室内機制御装置６０Ｂにおいては、温度センサー３３Ｂ、３４Ｂの検出温度、室内設定温度、室内温度などの温度情報に基づいて電子膨張弁５Ｂの開度を制御すると共に、室内送風機７Ｂの風量を制御し、前述の温度情報を制御線６１Ｂを介して室外機制御装置５０に出力する。室内機制御装置６０Ｃにおいては、温度センサー３３Ｃ、３４Ｃの検出温度、室内設定温度、室内温度などの温度情報に基づいて電子膨張弁５Ｃの開度を制御すると共に、室内送風機７Ｃの風量を制御し、前述の温度情報を制御線６１Ｃを介して室外機制御装置５０に出力する。
【００１８】
前記のように構成されたマルチ型空気調和機においては、暖房運転のときには、室内熱交換器６Ａ、６Ｂ、６Ｃが凝縮器と作用し、室外熱交換器４が蒸発器として作用し、各室内機Ａ、Ｂ、Ｃから暖かい空気が吹き出される。冷房運転のときには、室外熱交換器４が凝縮器として作用し、室内熱交換器６Ａ、６Ｂ、６Ｃが蒸発器として作用し、各室内機Ａ、Ｂ、Ｃから冷風が吹き出される。
【００１９】
前述した室外機制御装置５０は、試運転の時に制御線６１Ａ、６１Ｂ、６１Ｃの誤配線の有無を検知する誤配線検知手段を備えている。室外機制御装置５０は、室内機Ａ、Ｂ、Ｃ毎に設定された電子膨張弁５Ａ、５Ｂ、５Ｃの開度ＴＡ、ＴＢ、ＴＣと、電子膨張弁５Ａ、５Ｂ、５Ｃの開度ＴＡ、ＴＢ、ＴＣに応じて検出される冷媒の温度Ｔａ、Ｔｂ、Ｔｃに対する基準温度Ｔ１、Ｔ２，Ｔ３とをデータとするテーブルを有している（図２参照）。なお、テーブルの「検出温度」の欄には、室内機Ａ、Ｂ、Ｃから送られてくる冷媒の温度Ｔａ、Ｔｂ、Ｔｃが書き込まれる。また、室外機制御装置５０は、図３に示すように、制御線６１Ａ、６１Ｂ、６１Ｃの誤配線の有無を検知した後、室内機Ａ、Ｂ、Ｃを順に停止させる。その停止順序は、室内機Ｃ、室内機Ｂ、室内機Ａの順で、所定時間ｔ１、ｔ２、ｔ３毎に停止させる。
【００２０】
試運転時における室内機制御装置６０Ａ、６０Ｂ、６０Ｃは、室外機制御装置５０からの電子膨張弁５Ａ、５Ｂ、５Ｃの開度ＴＡ、ＴＢ、ＴＣが制御線６１Ａ、６１Ｂ、６１Ｃを介して入力されると、略同時に室内送風機７Ａ、７Ｂ、７Ｃの運転を開始すると共に、その開度に応じてそれぞれ電子膨張弁５Ａ、５Ｂ、５Ｃを開く。なお、開度ＴＡ、ＴＢ、ＴＣの大小関係は、ＴＡ＞ＴＢ＞ＴＣである。そして、室内機制御装置６０Ａ、６０Ｂ、６０Ｃは、それぞれに温度センサー３４Ａ、３４Ｂ、３４Ｃにより検出された冷媒の温度Ｔａ、Ｔｂ、Ｔｃを室外機制御装置５０に制御線６１Ａ、６１Ｂ、６１Ｃを介して転送する。また、室内機制御装置６０Ａ、６０Ｂ、６０Ｃは、停止の指示（停止信号）を受けたときには、それぞれ電子膨張弁５Ａ、５Ｂ、５Ｃを閉状態にし、室内送風機７Ａ、７Ｂ、７Ｃの運転を停止する。そして、室内機制御装置６０Ａ、６０Ｂ、６０Ｃは、運転を停止した際には、それぞれ運転終了信号を室外機制御装置５０に出力する。
【００２１】
次に、試運転時におけるマルチ型空調機の動作について図１〜図４を用いて説明する。
図４は図１のマルチ型空気調和機における誤配線の有無の検知動作を示すフローチャートである。
【００２２】
室外機Ｘの室外機制御装置５０は、試運転の指示を受けると、試運転開始の信号を略同時に制御線６１Ａ、６１Ｂ、６１Ｃを介して各室内機Ａ、Ｂ、Ｃに出力すると共に、室内機Ａ、Ｂ、Ｃ毎に設定された電子膨張弁５Ａ、５Ｂ、５Ｃの開度ＴＡ、ＴＢ、ＴＣを信号化し、テーブル（図２参照）に従って各室内機Ａ、Ｂ、Ｃにそれぞれ出力する。そして、室外機制御装置５０は、試運転として例えば冷房運転となるように、四方弁２の流路（図１に実線で示す）を切り換えると共に、室外送風機３の運転を開始、次いで圧縮機１を駆動し、室外熱交換器４を凝縮器として作用させる。
【００２３】
一方、各室内機Ａ、Ｂ、Ｃの室内機制御装置６０Ａ、６０Ｂ、６０Ｃは、試運転開始の信号が入力されると、それぞれ室内送風機７Ａ、７Ｂ、７Ｃの運転を開始する。そして、室内機制御装置６０Ａ、６０Ｂ、６０Ｃは、信号化された開度ＴＡ、ＴＢ、ＴＣが入力されたときに、それぞれ開度ＴＡ、ＴＢ、ＴＣに従って電子膨張弁５Ａ、５Ｂ、５Ｃを開き、室内熱交換器６Ａ、６Ｂ、６Ｃを蒸発器として作用させる。
【００２４】
その後、室内機制御装置６０Ａ、６０Ｂ、６０Ｃは、室内熱交換器６Ａ、６Ｂ、６Ｃにより熱交換された低温・低圧のガス冷媒の温度Ｔａ、Ｔｂ、Ｔｃを、それぞれ温度センサー３４Ａ、３４Ｂ、３４Ｃから読み込み、制御線６１Ａ、６１Ｂ、６１Ｃを介して室外機制御装置５０に転送する。
【００２５】
室外機制御装置５０は、制御線６１Ａを介して入力された温度を検出温度Ｔａとして、室内機Ａに対応させてテーブルに書き込み、制御線６１Ｂを介して入力された温度を検出温度Ｔｂとして、室内機Ｂに対応させてテーブルに書き込み、制御線６１Ｃを介して入力された温度を検出温度Ｔｃとして、室内機Ｃに対応させてテーブルに書き込む。そして、室外機制御装置５０は、図４に示すフローチャートに基づいて誤配線の有無の検知動作を実行する。
【００２６】
室外機制御装置５０は、先ず、テーブルに室内機Ａに対応して書き込んだ検出温度Ｔａと基準温度Ｔ１を比較し（Ｓ１）、Ｔａ≠Ｔ１のときにはＳ６に進むが、Ｔａ＝Ｔ１のときには、テーブルに室内機Ｂに対応して書き込んだ検出温度Ｔｂと基準温度Ｔ２を比較する（Ｓ２）。室外機制御装置５０は、Ｔｂ≠Ｔ２のときにはＳ５に進むが、Ｔｂ＝Ｔ２のときには、テーブルに室内機Ｃに対応して書き込んだ検出温度Ｔｃと基準温度Ｔ３を比較する（Ｓ３）。室外機制御装置５０は、Ｔｃ＝Ｔ３のときには、室外機Ｘと室内機Ａ、Ｂ、Ｃとの間の制御線６１Ａ、６１Ｂ、６１Ｃの配線が正常と検知する（Ｓ４）。そして、室外機制御装置５０は、図３に示すように、室内機Ａ、Ｂ、Ｃの運転を室内機Ｃ、室内機Ｂ、室内機Ａの順に停止させる停止信号を所定時間ｔ１、ｔ２、ｔ３毎に出力して、室内機Ｃ、室内機Ｂ、室内機Ａの順に運転終了信号が入力されることを確認する（Ｓ４ａ）。
【００２７】
室外機制御装置５０は、Ｓ２においてＴｂ≠Ｔ２のときには、室外機Ｘと室内機Ｂ、Ｃとの間の制御線６１Ｂ、６１Ｃの配線が反対になっていると検知する（Ｓ５）。そして、室外機制御装置５０は、誤配線を再検知するために、室内機Ｃ、室内機Ｂ、室内機Ａの運転を順に停止させる停止信号を所定時間ｔ１、ｔ２、ｔ３毎に出力する。この場合は、室内機Ｂ、室内機Ｃ、室内機Ａ（配線正常）の順に運転終了信号の入力を検知する（Ｓ５ａ）。
【００２８】
室外機制御装置５０は、Ｓ１においてＴａ≠Ｔ１のときには、検出温度Ｔｂと基準温度Ｔ２を比較する（Ｓ６）。室外機制御装置５０は、Ｔｂ≠Ｔ２のときにはＳ８に進むが、Ｔｂ＝Ｔ２のときには、室外機Ｘと室内機Ａ、Ｃとの間の制御線６１Ａ、６１Ｃの配線が反対になっていると検知する（Ｓ７）。そして、室外機制御装置５０は、誤配線を再検知するために、室内機Ｃ、室内機Ｂ、室内機Ａの運転を順に停止させる停止信号を所定時間ｔ１、ｔ２、ｔ３毎に出力する。この場合は、室内機Ａ、室内機Ｂ（配線正常）、室内機Ｃの順に運転終了信号の入力を検知する（Ｓ７ａ）。
【００２９】
室外機制御装置５０は、Ｓ６においてＴｂ≠Ｔ２のときには、検出温度Ｔｃと基準温度Ｔ３を比較する（Ｓ８）。室外機制御装置５０は、Ｔｃ≠Ｔ３のときにはＳ１０に進むが、Ｔｃ＝Ｔ３のときには、室外機Ｘと室内機Ａ、Ｂとの間の制御線６１Ａ、６１Ｂの配線が反対になっていると検知する（Ｓ９）。そして、室外機制御装置５０は、誤配線を再検知するために、室内機Ｃ、室内機Ｂ、室内機Ａの運転を順に停止させる停止信号を所定時間ｔ１、ｔ２、ｔ３毎に出力する。この場合は、室内機Ｃ（配線正常）、室内機Ａ、室内機Ｂの順に運転終了信号の入力を検知する（Ｓ９ａ）。
【００３０】
室外機制御装置５０は、Ｓ８においてＴｃ≠Ｔ３のときには、検出温度Ｔａと基準温度Ｔ３を比較する（Ｓ１０）。室外機制御装置５０は、Ｔａ≠Ｔ３のときにはＳ１２に進むが、Ｔａ＝Ｔ３のときには、室外機Ｘと室内機Ａとの間の制御線６１Ａが室内機Ｃに接続、室外機Ｘと室内機Ｂとの間の制御線６１Ｂが室内機Ａに接続、室外機Ｘと室内機Ｃとの間の制御線６１Ｃが室内機Ｂに接続されていると検知する（Ｓ１１）。そして、室外機制御装置５０は、誤配線を再検知するために、室内機Ｃ、室内機Ｂ、室内機Ａの運転を順に停止させる停止信号を所定時間ｔ１、ｔ２、ｔ３毎に出力する。この場合は、室内機Ａ、室内機Ｃ、室内機Ｂの順に運転終了信号の入力を検知する（Ｓ１１ａ）。
【００３１】
また、室外機制御装置５０は、Ｓ１０においてＴａ≠Ｔ３のときには、室外機Ｘと室内機Ａとの間の制御線６１Ａが室内機Ｂに接続、室外機Ｘと室内機Ｂとの間の制御線６１Ｂが室内機Ｃに接続、室外機Ｘと室内機Ｃとの間の制御線６１Ｃが室内機Ａに接続されていると検知する（Ｓ１２）。そして、室外機制御装置５０は、誤配線を再検知するために、室内機Ｃ、室内機Ｂ、室内機Ａの運転を順に停止させる停止信号を所定時間ｔ１、ｔ２、ｔ３毎に出力する。この場合は、室内機Ｂ、室内機Ａ、室内機Ｃの順に運転終了信号の入力を検知する（Ｓ１２ａ）。
【００３２】
以上のように実施の形態においては、制御線６１Ａ、６１Ｂ、６１Ｃの誤配線の有無を検知する際、電子膨張弁５Ａ、５Ｂ、５Ｃを室内機Ａ、Ｂ、Ｃ毎に設定された異なる開度ＴＡ、ＴＢ、ＴＣで開状態にし、圧縮機１を駆動して冷媒を冷媒配管２１、２０内に流してそれぞれ室内機Ａ、Ｂ、Ｃを介して循環させ、室内機Ａ、Ｂ、Ｃ毎に温度センサー３４Ａ、３４Ｂ、３４Ｃの検出温度（低温・定圧のガス冷媒の温度）を読み込んで、室内機Ａ、Ｂ、Ｃ毎に設定された基準温度Ｔ１、Ｔ２、Ｔ３と比較し、室内機Ａ、Ｂ、Ｃ毎の検出温度Ｔａ、Ｔｂ、Ｔｃと基準温度Ｔ１、Ｔ２、Ｔ３との不一致の組み合わせから制御線６１Ａ、６１Ｂ、６１Ｃの誤配線を検知するようにしている。このように、室内機Ａ、Ｂ、Ｃを略同時に運転させるようにしているので、素早く制御線６１Ａ、６１Ｂ、６１Ｃの誤配線の検知に入ることができ、しかも、室内機Ａ、Ｂ、Ｃ毎の検出温度Ｔａ、Ｔｂ、Ｔｃと基準温度Ｔ１、Ｔ２、Ｔ３との不一致の組み合わせから制御線６１Ａ、６１Ｂ、６１Ｃの誤配線を検知するようにしているので、確実に誤配線の検知を行うことができる。
【００３３】
また、制御線の誤配線を検知した後、室内機Ａ、Ｂ、Ｃの運転を室内機Ｃ、室内機Ｂ、室内機Ａの順番に停止させて、室内機Ｃ、室内機Ｂ、室内機Ａの順に運転終了信号が入力されることを確認するようにしているので、より確実な誤配線の検知を行うことができる。
【００３４】
なお、実施の形態では、室外機制御装置５０に誤配線検知手段を設けて、室外機制御装置５０により、室外機Ｘと室内機Ａ、Ｂ、Ｃとの間に配線された制御線６１Ａ、６１Ｂ、６１Ｃの誤配線の有無を検知するようにしたが、誤配線検知手段を有する試験器を用意し、その試験器により、制御線６１Ａ、６１Ｂ、６１Ｃの誤配線の有無を検知するようにしてもよい。
【符号の説明】
【００３５】
１  圧縮機、２  四方弁、３  室外送風機、４  室外熱交換器、５Ａ，５Ｂ，５Ｃ  電子膨張弁、６Ａ、６Ｂ、６Ｃ  室内熱交換器、７Ａ、７Ｂ、７Ｃ  室内送風機、８  アキュムレータ、２０  液配管、２１  ガス配管、３１、３２  温度センサー、３３Ａ、３３Ｂ、３３Ｃ  温度センサー、３４Ａ、３４Ｂ、３４Ｃ  温度センサー、５０  室外機制御装置、６０Ａ、６０Ｂ、６０Ｃ  室内機制御装置、６１Ａ、６１Ｂ、６１Ｃ  制御線、Ｘ  室外機、Ａ、Ｂ、Ｃ  室内機。
【図１】
2014173816.tif 000003
【図２】
2014173816.tif 000004
【図３】
2014173816.tif 000005
【図４】
2014173816.tif 000006